(57)【特許請求の範囲】
【請求項１】
端末装置は第１の時間領域スケジューリングユニットにおいて、ネットワーク装置から送信された第１の物理ダウンリンク制御チャネルを受信し、前記第１の物理ダウンリンク制御チャネルは前記第１の時間領域スケジューリングユニットの前の少なくとも１つの時間領域スケジューリングユニットにおける物理ダウンリンクデータチャネルをスケジューリングするためのものであることと、
前記端末装置は前記第１の物理ダウンリンク制御チャネルにより、前記少なくとも１つの時間領域スケジューリングユニットにおける前記第１の物理ダウンリンク制御チャネルに対応するデータを受信することと、を含み、
前記少なくとも１つの時間領域スケジューリングユニットは、前記第１の時間領域スケジューリングユニットの前にあって、前記第１の時間領域スケジューリングユニットに隣接する第２の時間領域スケジューリングユニットであり、前記第２の時間領域スケジューリングユニットは第２の物理ダウンリンク制御チャネルを含み、前記第２の時間領域スケジューリングユニットはＮ個のシンボルを含み、前記第２の時間領域スケジューリングユニットにおける前記第１の物理ダウンリンク制御チャネルがスケジューリング可能な物理ダウンリンクデータチャネルは、前記第２の時間領域スケジューリングユニットのＮ−Ｍ＋１〜Ｎ番目のシンボルを占有し、且つ前記第２の物理ダウンリンク制御チャネルが占有するシンボルとオーバーラップしなく、Ｎ、Ｍはいずれも正の整数であり、且つＭ≦Ｎであり、
前記第１の時間領域スケジューリングユニットは第１の同期信号ブロックを含み、前記第２の時間領域スケジューリングユニットは前記第１の同期信号ブロックと異なる第２の同期信号ブロックを含み、前記第２の同期信号ブロックは前記第２の時間領域スケジューリングユニットの１〜Ｐ番目のシンボルを占有し、前記第２の物理ダウンリンク制御チャネルは周波数領域において、前記第２の同期信号ブロックの帯域幅の少なくとも一側に位置し、Ｐは正の整数であり、且つＰ≦（Ｎ−Ｍ）であることを特徴とする通信方法。
【請求項２】
端末装置は第１の時間領域スケジューリングユニットにおいて、ネットワーク装置から送信された第１の物理ダウンリンク制御チャネルを受信し、前記第１の物理ダウンリンク制御チャネルは前記第１の時間領域スケジューリングユニットの前の少なくとも１つの時間領域スケジューリングユニットにおける物理ダウンリンクデータチャネルをスケジューリングするためのものであることと、
前記端末装置は前記第１の物理ダウンリンク制御チャネルにより、前記少なくとも１つの時間領域スケジューリングユニットにおける前記第１の物理ダウンリンク制御チャネルに対応するデータを受信することと、を含み、
前記少なくとも１つの時間領域スケジューリングユニットは、前記第１の時間領域スケジューリングユニットの前にあって、前記第１の時間領域スケジューリングユニットに隣接する第２の時間領域スケジューリングユニットであり、前記第２の時間領域スケジューリングユニットは第２の物理ダウンリンク制御チャネルを含み、前記第２の時間領域スケジューリングユニットはＮ個のシンボルを含み、前記第２の時間領域スケジューリングユニットにおける前記第１の物理ダウンリンク制御チャネルがスケジューリング可能な物理ダウンリンクデータチャネルは、前記第２の時間領域スケジューリングユニットのＮ−Ｍ＋１〜Ｎ番目のシンボルを占有し、且つ前記第２の物理ダウンリンク制御チャネルが占有するシンボルとオーバーラップしなく、Ｎ、Ｍはいずれも正の整数であり、且つＭ≦Ｎであり、
前記第１の時間領域スケジューリングユニットは第１の同期信号ブロックを含み、前記第１の時間領域スケジューリングユニットはＱ個のシンボルを含み、前記第１の同期信号ブロックは前記第１の時間領域スケジューリングユニットのＱ−Ｒ＋１〜Ｑ番目のシンボルを占有し、前記第１の物理ダウンリンク制御チャネルは前記第１の時間領域スケジューリングユニットの１〜Ｓ番目のシンボルを占有し、Ｑ、Ｒ及びＳはいずれも正の整数であり、且つＳ≦（Ｑ−Ｒ）であることを特徴とする通信方法。
【請求項３】
前記第１の物理ダウンリンク制御チャネル上にベアリングされるダウンリンク制御情報は、前記第１の物理ダウンリンク制御チャネルのスケジューリングする物理ダウンリンクデータチャネルが、前記第１の時間領域スケジューリングユニットの前の少なくとも１つの時間領域スケジューリングユニットに位置することを指示するためのものであり、前記方法は更に、
前記端末装置は、前記少なくとも１つの時間領域スケジューリングユニットにおける、前記第１の物理ダウンリンク制御チャネルがスケジューリング可能な物理ダウンリンクデータチャネルによりベアリングされるデータをキャッシュすることを含み、
前記端末装置が前記第１の物理ダウンリンク制御チャネルにより、前記少なくとも１つの時間領域スケジューリングユニットにおける前記第１の物理ダウンリンク制御チャネルに対応するデータを受信することは、
前記端末装置は前記第１の物理ダウンリンク制御チャネルにより、前記端末装置がキャッシュする前記少なくとも１つの時間領域スケジューリングユニットにおける前記第１の物理ダウンリンク制御チャネルがスケジューリング可能な物理ダウンリンクデータチャネルによりベアリングされるデータから、前記第１の物理ダウンリンク制御チャネルに対応するデータを受信することを含むことを特徴とする請求項１又は２に記載の通信方法。
【請求項４】
前記方法は更に、
前記端末装置はネットワーク装置が送信した指示情報を受信し、前記指示情報は、前記第１の物理ダウンリンク制御チャネルがスケジューリング可能な物理ダウンリンクデータチャネルの、前記少なくとも１つの時間領域スケジューリングユニットでの位置を指示するためのものであることを含み、
前記端末装置が、前記少なくとも１つの時間領域スケジューリングユニットにおける、前記第１の物理ダウンリンク制御チャネルがスケジューリング可能な物理ダウンリンクデータチャネルによりベアリングされるデータをキャッシュすることは、
前記端末装置は前記指示情報に基づいて、前記少なくとも１つの時間領域スケジューリングユニットにおける、前記第１の物理ダウンリンク制御チャネルがスケジューリング可能な物理ダウンリンクデータチャネルによりベアリングされるデータをキャッシュすることを含むことを特徴とする請求項３に記載の通信方法。
【請求項５】
前記指示情報は、無線リソース制御ＲＲＣシグナリングにベアリングされることを特徴とする請求項４に記載の通信方法。
【請求項６】
前記第１の時間領域スケジューリングユニットはタイムスロット又はマイクロタイムスロットであることを特徴とする請求項１〜５のいずれか１項に記載の通信方法。
【請求項７】
前記第１の物理ダウンリンク制御チャネルは更に、前記第１の時間領域スケジューリングユニットにおける物理ダウンリンクデータチャネル及び／又は前記第１の時間領域スケジューリングユニットの後の少なくとも１つの時間領域スケジューリングユニットにおける物理ダウンリンクデータチャネルをスケジューリングすることに用いられることを特徴とする請求項１〜６のいずれか１項に記載の通信方法。
【請求項８】
第１の時間領域スケジューリングユニットにおいて、ネットワーク装置から送信された第１の物理ダウンリンク制御チャネルを受信することに用いられ、前記第１の物理ダウンリンク制御チャネルは前記第１の時間領域スケジューリングユニットの前の少なくとも１つの時間領域スケジューリングユニットにおける物理ダウンリンクデータチャネルをスケジューリングするためのものである、第１の受信ユニットと、
前記第１の物理ダウンリンク制御チャネルにより、前記少なくとも１つの時間領域スケジューリングユニットにおける前記第１の物理ダウンリンク制御チャネルに対応するデータを受信することに用いられる第２の受信ユニットと、を備え、
前記少なくとも１つの時間領域スケジューリングユニットは、前記第１の時間領域スケジューリングユニットの前にあって、前記第１の時間領域スケジューリングユニットに隣接する第２の時間領域スケジューリングユニットであり、前記第２の時間領域スケジューリングユニットは第２の物理ダウンリンク制御チャネルを含み、前記第２の時間領域スケジューリングユニットはＮ個のシンボルを含み、前記第２の時間領域スケジューリングユニットにおける前記第１の物理ダウンリンク制御チャネルがスケジューリング可能な物理ダウンリンクデータチャネルは、前記第２の時間領域スケジューリングユニットのＮ−Ｍ＋１〜Ｎ番目のシンボルを占有し、且つ前記第２の物理ダウンリンク制御チャネルが占有するシンボルとオーバーラップしなく、Ｎ、Ｍはいずれも正の整数であり、且つＭ≦Ｎであり、
前記第１の時間領域スケジューリングユニットは第１の同期信号ブロックを含み、前記第２の時間領域スケジューリングユニットは前記第１の同期信号ブロックと異なる第２の同期信号ブロックを含み、前記第２の同期信号ブロックは前記第２の時間領域スケジューリングユニットの１〜Ｐ番目のシンボルを占有し、前記第２の物理ダウンリンク制御チャネルは周波数領域において、前記第２の同期信号ブロックの帯域幅の少なくとも一側に位置し、Ｐは正の整数であり、且つＰ≦（Ｎ−Ｍ）であることを特徴とする端末装置。
【請求項９】
第１の時間領域スケジューリングユニットにおいて、ネットワーク装置から送信された第１の物理ダウンリンク制御チャネルを受信することに用いられ、前記第１の物理ダウンリンク制御チャネルは前記第１の時間領域スケジューリングユニットの前の少なくとも１つの時間領域スケジューリングユニットにおける物理ダウンリンクデータチャネルをスケジューリングするためのものである、第１の受信ユニットと、
前記第１の物理ダウンリンク制御チャネルにより、前記少なくとも１つの時間領域スケジューリングユニットにおける前記第１の物理ダウンリンク制御チャネルに対応するデータを受信することに用いられる第２の受信ユニットと、を備え、
前記少なくとも１つの時間領域スケジューリングユニットは、前記第１の時間領域スケジューリングユニットの前にあって、前記第１の時間領域スケジューリングユニットに隣接する第２の時間領域スケジューリングユニットであり、前記第２の時間領域スケジューリングユニットは第２の物理ダウンリンク制御チャネルを含み、前記第２の時間領域スケジューリングユニットはＮ個のシンボルを含み、前記第２の時間領域スケジューリングユニットにおける前記第１の物理ダウンリンク制御チャネルがスケジューリング可能な物理ダウンリンクデータチャネルは、前記第２の時間領域スケジューリングユニットのＮ−Ｍ＋１〜Ｎ番目のシンボルを占有し、且つ前記第２の物理ダウンリンク制御チャネルが占有するシンボルとオーバーラップしなく、Ｎ、Ｍはいずれも正の整数であり、且つＭ≦Ｎであり、
前記第１の時間領域スケジューリングユニットは第１の同期信号ブロックを含み、前記第１の時間領域スケジューリングユニットはＱ個のシンボルを含み、前記第１の同期信号ブロックは前記第１の時間領域スケジューリングユニットのＱ−Ｒ＋１〜Ｑ番目のシンボルを占有し、前記第１の物理ダウンリンク制御チャネルは前記第１の時間領域スケジューリングユニットの１〜Ｓ番目のシンボルを占有し、Ｑ、Ｒ及びＳはいずれも正の整数であり、且つＳ≦（Ｑ−Ｒ）であることを特徴とする端末装置。
【請求項１０】
前記第１の物理ダウンリンク制御チャネル上にベアリングされるダウンリンク制御情報は、前記第１の物理ダウンリンク制御チャネルのスケジューリングする物理ダウンリンクデータチャネルが、前記第１の時間領域スケジューリングユニットの前の少なくとも１つの時間領域スケジューリングユニットに位置することを指示するためのものであり、前記端末装置は更に、
前記少なくとも１つの時間領域スケジューリングユニットにおける、前記第１の物理ダウンリンク制御チャネルがスケジューリング可能な物理ダウンリンクデータチャネルによりベアリングされるデータをキャッシュすることに用いられるキャッシュユニットを備え、  前記第２の受信ユニットは具体的に、
前記第１の物理ダウンリンク制御チャネルにより、前記端末装置がキャッシュする前記少なくとも１つの時間領域スケジューリングユニットにおける前記第１の物理ダウンリンク制御チャネルがスケジューリング可能な物理ダウンリンクデータチャネルによりベアリングされるデータから、前記第１の物理ダウンリンク制御チャネルに対応するデータを受信することに用いられることを特徴とする請求項８又は９に記載の端末装置。
【請求項１１】
前記端末装置は更に、
ネットワーク装置が送信した指示情報を受信することに用いられ、前記指示情報は、前記第１の物理ダウンリンク制御チャネルがスケジューリング可能な物理ダウンリンクデータチャネルの、前記少なくとも１つの時間領域スケジューリングユニットでの位置を指示するためのものである、第３の受信ユニットを備え、
前記キャッシュユニットは具体的に、
前記指示情報に基づいて、前記少なくとも１つの時間領域スケジューリングユニットにおける、前記第１の物理ダウンリンク制御チャネルがスケジューリング可能な物理ダウンリンクデータチャネルによりベアリングされるデータをキャッシュすることに用いられることを特徴とする請求項１０に記載の端末装置。
【請求項１２】
前記指示情報は、無線リソース制御ＲＲＣシグナリングにベアリングされることを特徴とする請求項１１に記載の端末装置。
【請求項１３】
前記第１の時間領域スケジューリングユニットはタイムスロット又はマイクロタイムスロットであることを特徴とする請求項８〜１２のいずれか１項に記載の端末装置。
【請求項１４】
前記第１の物理ダウンリンク制御チャネルは更に、前記第１の時間領域スケジューリングユニットにおける物理ダウンリンクデータチャネル及び／又は前記第１の時間領域スケジューリングユニットの後の少なくとも１つの時間領域スケジューリングユニットにおける物理ダウンリンクデータチャネルをスケジューリングすることに用いられることを特徴とする請求項８〜１３のいずれか１項に記載の端末装置。
【発明の詳細な説明】
【技術分野】
【０００１】
本願の実施例は通信分野に関し、より具体的に、通信方法、端末装置及びネットワーク装置に関する。
【背景技術】
【０００２】
ロングタームエボリューション（Long  Term  Evolution、LTE）システムにおいて、物理ダウンリンク制御チャネル(Physical  Downlink  Control  Channel、PDCCH)の時間領域位置は完全に一定であり、それぞれの1msサブフレームの冒頭の幾つかのシンボル(最大3個)に位置する。従来のPDCCHのスケジューリング方式では、ネットワークリソースの利用率が高くなく、柔軟性が低い可能性がある。
【発明の概要】
【発明が解決しようとする課題】
【０００３】
これに鑑み、本願の実施例は、ネットワークリソースの利用率を高めて、より柔軟なスケジューリングを実現することに有利な通信方法、端末装置及びネットワーク装置を提供する。
【課題を解決するための手段】
【０００４】
第1の態様では通信方法を提供し、該通信方法は、端末装置は第1の時間領域スケジューリングユニットにおいて、ネットワーク装置から送信された第1の物理ダウンリンク制御チャネルを受信し、前記第1の物理ダウンリンク制御チャネルは前記第1の時間領域スケジューリングユニットの前の少なくとも1つの時間領域スケジューリングユニットにおける物理ダウンリンクデータチャネルをスケジューリングするためのものであることと、前記端末装置は前記第1の物理ダウンリンク制御チャネルにより、前記少なくとも1つの時間領域スケジューリングユニットにおける前記第1の物理ダウンリンク制御チャネルに対応するデータを受信することと、を含む。
【０００５】
時間領域スケジューリングユニットはタイムスロット、マイクロタイムスロット又はサブフレームであってもよく、或いは、特定のシンボルを含む単位であってもよく、1つの時間領域スケジューリングユニットは時間領域において複数のシンボルを含み、周波数領域において複数のサブキャリアを含み、又はシステム帯域幅全体であってもよい。
【０００６】
該第1の物理ダウンリンク制御チャネルは更に、該第1の時間領域スケジューリングユニットにおける物理ダウンリンクデータチャネル及び/又は該第1の時間領域スケジューリングユニットの後の少なくとも1つの時間領域スケジューリングユニットにおける物理ダウンリンクデータチャネルをスケジューリングすることに用いられる。
【０００７】
PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０００８】
可能な一実現方式では、前記第1の物理ダウンリンク制御チャネル上にベアリングされるダウンリンク制御情報は、前記第1の物理ダウンリンク制御チャネルのスケジューリングする物理ダウンリンクデータチャネルが、前記第1の時間領域スケジューリングユニットの前の少なくとも1つの時間領域スケジューリングユニットに位置することを指示するためのものであり、前記方法は更に、前記端末装置は前記少なくとも1つのスケジューリングユニットにおける、前記第1の物理ダウンリンク制御チャネルがスケジューリング可能な物理ダウンリンクデータチャネルによりベアリングされるデータをキャッシュすることを含み、前記端末装置が前記第1の物理ダウンリンク制御チャネルにより、前記少なくとも1つの時間領域スケジューリングユニットにおける前記第1の物理ダウンリンク制御チャネルに対応するデータを受信することは、前記端末装置は前記第1の物理ダウンリンク制御チャネルにより、前記端末装置がキャッシュする前記少なくとも1つのスケジューリングユニットにおける前記第1の物理ダウンリンク制御チャネルがスケジューリング可能な物理ダウンリンクデータチャネルによりベアリングされるデータから、前記第1の物理ダウンリンク制御チャネルに対応するデータを受信することを含む。
【０００９】
可能な一実現方式では、前記方法は更に、前記端末装置はネットワーク装置が送信した指示情報を受信し、前記指示情報は、前記第1の物理ダウンリンク制御チャネルがスケジューリング可能な物理ダウンリンクデータチャネルの、前記少なくとも1つの時間領域スケジューリングユニットでの位置を指示するためのものであることを含み、前記端末装置が、前記少なくとも1つのスケジューリングユニットにおける、前記第1の物理ダウンリンク制御チャネルがスケジューリング可能な物理ダウンリンクデータチャネルによりベアリングされるデータをキャッシュすることは、前記端末装置は前記指示情報に基づいて、前記少なくとも1つの時間領域スケジューリングユニットにおける、前記第1の物理ダウンリンク制御チャネルがスケジューリング可能な物理ダウンリンクデータチャネルによりベアリングされるデータをキャッシュすることを含む。
【００１０】
可能な一実現方式では、前記指示情報は無線リソース制御RRCシグナリングにベアリングされる。
【００１１】
選択肢として、端末装置は、プロトコルの規定に従って、各時間領域スケジューリングユニットにおいていずれもプロトコルによって規定されるリソース上の情報をキャッシュすることができ、端末装置は次の時間領域スケジューリングユニットにおいてスケジューリングを指示するPDSCHが前の一つの時間領域スケジューリングユニットのPDCCH内に位置することを受信すると、端末装置はキャッシュされたデータから該PDCCHに対応するデータを取得する。
【００１２】
可能な一実現方式では、前記少なくとも1つの時間領域スケジューリングユニットは、前記第1の時間領域スケジューリングユニットの前にあって、前記第1の時間領域スケジューリングユニットに隣接する第2の時間領域スケジューリングユニットであり、前記第2の時間領域スケジューリングユニットは第2の物理ダウンリンク制御チャネルを含み、前記第2の時間領域スケジューリングユニットはN個のシンボルを含み、前記第2の時間領域スケジューリングユニットにおける前記第1の物理ダウンリンク制御チャネルがスケジューリング可能な物理ダウンリンクデータチャネルは、前記第2の時間領域スケジューリングユニットのN-M+1〜N番目のシンボルを占有し、且つ前記第2の物理ダウンリンク制御チャネルが占有するシンボルとオーバーラップしなく、N、Mはいずれも正の整数であり、且つM≦Nである。
【００１３】
該第2の時間領域スケジューリングユニットにおける該第1の物理ダウンリンク制御チャネルがスケジューリング可能な物理ダウンリンクデータチャネルは、該第2の時間領域スケジューリングユニットのN-M+1〜N番目のシンボルを占有し、且つ該第2の物理ダウンリンク制御チャネルが占有するシンボルとオーバーラップしなく、リソース衝突を起こさず、システム伝送性能を高める。
【００１４】
可能な一実現方式では、前記第1の時間領域スケジューリングユニットは第1の同期信号ブロックを含み、前記第2の時間領域スケジューリングユニットは前記第1の同期信号ブロックと異なる第2の同期信号ブロックを含み、前記第2の同期信号ブロックは前記第2の時間領域スケジューリングユニットの1〜P番目のシンボルを占有し、前記第2の物理ダウンリンク制御チャネルは周波数領域において、前記第2の同期信号ブロックの帯域幅の少なくとも一側に位置し、Pは正の整数であり、且つ
0006957636.tif 000002
である。
【００１５】
同期信号ブロックを時間領域スケジューリングユニットの冒頭の複数のシンボルに設定して伝送することで、端末はセルサーチを完了した直後に現在のタイムスロットのダウンリンク制御チャネルとシステム情報を読み取ることができ、端末がネットワークにアクセスする時間を短縮し、端末のネットワークへの加入中の消費電力を節約することができる。
【００１６】
可能な一実現方式では、前記第1の時間領域スケジューリングユニットは第1の同期信号ブロックを含み、前記第1の時間領域スケジューリングユニットはQ個のシンボルを含み、前記第1の同期信号ブロックは前記第1の時間領域スケジューリングユニットのQ-R+1〜Q番目のシンボルを占有し、前記第1の物理ダウンリンク制御チャネルは前記第1の時間領域スケジューリングユニットの1〜S番目のシンボルを占有し、Q、R及びSはいずれも正の整数であり、且つ
0006957636.tif 000003
である。
【００１７】
第2の態様では通信方法を提供し、該通信方法は、ネットワーク装置は第1の時間領域スケジューリングユニットにおいて、端末装置に第1の物理ダウンリンク制御チャネルを送信し、前記第1の物理ダウンリンク制御チャネルは前記第1の時間領域スケジューリングユニットの前の少なくとも1つの時間領域スケジューリングユニットにおける物理ダウンリンクデータチャネルをスケジューリングするためのものであることを含む。
【００１８】
可能な一実現方式では、前記方法は更に、前記ネットワーク装置は前記端末装置に指示情報を送信し、前記指示情報は、前記第1の物理ダウンリンク制御チャネルがスケジューリング可能な物理ダウンリンクデータチャネルの、前記少なくとも1つの時間領域スケジューリングユニットでの位置を指示するためのものであることを含む。
【００１９】
可能な一実現方式では、前記少なくとも1つの時間領域スケジューリングユニットは、前記第1の時間領域スケジューリングユニットの前にあって、前記第1の時間領域スケジューリングユニットに隣接する第2の時間領域スケジューリングユニットであり、前記第2の時間領域スケジューリングユニットは第2の物理ダウンリンク制御チャネルを含み、前記第2の時間領域スケジューリングユニットはN個のシンボルを含み、前記第2の時間領域スケジューリングユニットにおける前記第1の物理ダウンリンク制御チャネルがスケジューリング可能な物理ダウンリンクデータチャネルは、前記第2の時間領域スケジューリングユニットのN-M+1〜N番目のシンボルを占有し、且つ前記第2の物理ダウンリンク制御チャネルが占有するシンボルとオーバーラップしなく、N、Mはいずれも正の整数であり、且つM≦Nである。
【００２０】
可能な一実施態様では、前記第1の時間領域スケジューリングユニットは第1の同期信号ブロックを含み、前記第2の時間領域スケジューリングユニットは前記第1の同期信号ブロックと異なる第2の同期信号ブロックを含み、前記第2の同期信号ブロックは前記第2の時間領域スケジューリングユニットの1〜P番目のシンボルを占有し、前記第2の物理ダウンリンク制御チャネルは周波数領域において、前記第2の同期信号ブロックの帯域幅の少なくとも一側に位置し、Pは正の整数であり、且つ
0006957636.tif 000004
である。
【００２１】
可能な一実現方式では、前記第1の時間領域スケジューリングユニットは第1の同期信号ブロックを含み、前記第1の時間領域スケジューリングユニットはQ個のシンボルを含み、前記第1の同期信号ブロックは前記第1の時間領域スケジューリングユニットのQ-R+1〜Q番目のシンボルを占有し、前記第1の物理ダウンリンク制御チャネルは前記第1の時間領域スケジューリングユニットの1〜S番目のシンボルを占有し、Q、R及びSはいずれも正の整数であり、且つ
0006957636.tif 000005
である。
【００２２】
第3の態様では通信方法を提供し、該通信方法は、端末装置はネットワーク装置から送信された第1の指示情報及び第2の指示情報を受信し、前記第1の指示情報は、第1の物理ダウンリンク制御チャネルの第1の時間領域スケジューリングユニットでの位置を指示するためのものであり、前記第2の指示情報は、第2の物理ダウンリンク制御チャネルの前記第2の時間領域スケジューリングユニットでの位置を指示するためのものであり、前記第1の時間領域スケジューリングユニットは同期信号ブロックを含み、前記第2の時間領域スケジューリングユニットは同期信号ブロックを含まなく、前記同期信号ブロックは同期信号及び物理ブロードキャストチャネルを含むことと、前記端末装置は前記第1の指示情報と前記第2の指示情報に基づいて、前記第1の物理ダウンリンク制御チャネルの前記第1の時間領域スケジューリングユニットでの位置と、第2の物理ダウンリンク制御チャネルの前記第2の時間領域スケジューリングユニットでの位置をそれぞれ確定することと、を含む。
【００２３】
時間領域スケジューリングユニットはタイムスロット、マイクロタイムスロット又はサブフレームであってもよく、或いは、特定のシンボルを含む単位であってもよく、1つの時間領域スケジューリングユニットは時間領域において複数のシンボルを含み、周波数領域において複数のサブキャリアを含み、又はシステム帯域幅全体であってもよい。
【００２４】
同期信号ブロックを伝送する時間領域スケジューリングユニットにおいて一部のリソースを設定してダウンリンク制御チャネルを伝送するが、同期信号ブロックを含まない時間領域スケジューリングユニットにおける物理ダウンリンク制御チャネルは元の構造を採用でき、構造変更は小さく、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【００２５】
可能な一実現方式では、前記第1の指示情報及び/又は前記第2の指示情報は、物理ブロードキャストチャネル又はシステムメッセージにベアリングされる。
【００２６】
更に、該第1の指示情報及び第2の指示情報は、第1の時間領域スケジューリングユニットにおけるブロードキャストチャネルにベアリングされてもよい。
【００２７】
可能な一実現方式では、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000006
であり、前記方法は更に、前記端末装置は前記第1の時間領域スケジューリングユニットにおいて前記同期信号ブロックと前記第1の物理ダウンリンク制御チャネルを受信完了した後、前記端末装置は前記第2の時間領域スケジューリングユニットにおいて前記第2の物理ダウンリンク制御チャネルを受信することを含む。
【００２８】
第4の態様では通信方法を提供し、該通信方法は、ネットワーク装置が端末装置に第1の指示情報及び第2の指示情報を送信し、前記第1の指示情報は、第1の物理ダウンリンク制御チャネルの第1の時間領域スケジューリングユニットでの位置を指示するためのものであり、前記第2の指示情報は、第2の物理ダウンリンク制御チャネルの前記第2の時間領域スケジューリングユニットでの位置を指示するためのものであり、前記第1の時間領域スケジューリングユニットは同期信号ブロックを含み、前記第2の時間領域スケジューリングユニットは同期信号ブロックを含まないことを含む。
【００２９】
可能な一実現方式では、前記第1の指示情報及び/又は前記第2の指示情報は、物理ブロードキャストチャネル又はシステムメッセージにベアリングされる。
【００３０】
可能な一実現方式では、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000007
であり、前記方法は更に、前記ネットワーク装置は前記第1の時間領域スケジューリングユニットにおいて前記同期信号ブロックと前記第1の物理ダウンリンク制御チャネルを送信完了した後、前記ネットワーク装置は前記第2の時間領域スケジューリングユニットにおいて前記第2の物理ダウンリンク制御チャネルを送信することを含む。
【００３１】
第5の態様では、上記第1の態様又は第1の態様の任意可能な実現方式における方法を実行することに用いられる端末装置を提供する。具体的に、該端末装置は、上記第1の態様又は第1の態様の任意可能な実現方式における方法を実行するためのユニットを備える。
【００３２】
第6の態様では、上記第2の態様又は第2の態様の任意可能な実現方式における方法を実行することに用いられるネットワーク装置を提供する。具体的に、該ネットワーク装置は、上記第2の態様又は第2の態様の任意可能な実現方式における方法を実行するためのユニットを備える。
【００３３】
第7の態様では、上記第3の態様又は第3の態様の任意可能な実現方式における方法を実行することに用いられる端末装置を提供する。具体的に、該端末装置は、上記第3の態様又は第3の態様の任意可能な実現方式における方法を実行するためのユニットを備える。
【００３４】
第8の態様では、上記第4の態様又は第4の態様の任意可能な実現方式における方法を実行することに用いられるネットワーク装置を提供する。具体的に、該ネットワーク装置は、上記第4の態様又は第4の態様の任意可能な実現方式における方法を実行するためのユニットを備える。
【００３５】
第9の態様では、メモリ、プロセッサ、入力インターフェース及び出力インターフェースを備える端末装置を提供する。メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第1の態様又は第1の態様の任意可能な実現方式における方法を実行することに用いられる。
【００３６】
第10の態様では、メモリ、プロセッサ、入力インターフェース及び出力インターフェースを備えるネットワーク装置を提供する。メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第2の態様又は第2の態様の任意可能な実現方式における方法を実行することに用いられる。
【００３７】
第11の態様では、メモリ、プロセッサ、入力インターフェース及び出力インターフェースを備える端末装置を提供する。メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第3の態様又は第3の態様の任意可能な実現方式における方法を実行することに用いられる。
【００３８】
第12の態様では、メモリ、プロセッサ、入力インターフェース及び出力インターフェースを備えるネットワーク装置を提供する。メモリ、プロセッサ、入力インターフェース及び出力インターフェースはバスシステムを介して接続されている。該メモリは指令を記憶することに用いられ、該プロセッサは該メモリに記憶される指令を実行することに用いられ、上記第4の態様又は第4の態様の任意可能な実現方式における方法を実行することに用いられる。
【００３９】
第13の態様ではコンピュータ記憶媒体を提供し、上記第1の態様又は第1の態様の任意可能な実現方式における方法、又は上記第2の態様又は第2の態様の任意可能な実現方式における方法、又は上記第3の態様又は第3の態様の任意可能な実現方式における方法、又は上記第4の態様又は第4の態様の任意可能な実現方式における方法を実行するために使用されるコンピュータソフトウェア指令を記憶することに用いられ、上記態様を実行するために設計されるプログラムを含む。
【００４０】
本願のこれらの態様又は他の態様は、以下の実施例の説明でより簡単に理解できる。
【図面の簡単な説明】
【００４１】
【図１】図1は本願の実施例の適用シーンの模式図を示す。
【図２】図2は本願の実施例による通信方法の模式的なブロック図を示す。
【図３】図3は本願の実施例によるダウンリンク時間領域スケジューリングユニットの構造模式図を示す。
【図４】図4は本願の実施例によるダウンリンク時間領域スケジューリングユニットの他の構造模式図を示す。
【図５】図5は本願の実施例によるダウンリンク時間領域スケジューリングユニットの更なる構造模式図を示す。
【図６】図6は本願の実施例によるダウンリンク時間領域スケジューリングユニットの更なる構造模式図を示す。
【図７】図7は本願の実施例による通信方法の他の模式的なブロック図を示す。
【図８】図8は本願の実施例による通信方法の更なる模式的なブロック図を示す。
【図９】図9は本願の実施例による通信方法の更なる模式的なブロック図を示す。
【図１０】図10は本願の実施例による端末装置の模式的なブロック図を示す。
【図１１】図11は本願の実施例によるネットワーク装置の模式的なブロック図を示す。
【図１２】図12は本願の実施例による端末装置の他の模式的なブロック図を示す。
【図１３】図13は本願の実施例によるネットワーク装置の他の模式的なブロック図を示す。
【図１４】図14は本願の実施例による端末装置の更なる模式的なブロック図を示す。
【図１５】図15は本願の実施例によるネットワーク装置の更なる模式的なブロック図を示す。
【図１６】図16は本願の実施例による端末装置の更なる模式的なブロック図を示す。
【図１７】図17は本願の実施例によるネットワーク装置の更なる模式的なブロック図を示す。
【発明を実施するための形態】
【００４２】
以下、本願の実施例における図面を参照しながら、本願の実施例における技術的解決手段を明確で、完全に説明する。
【００４３】
理解できるように、本願の実施例による技術的手段は、例えば、グローバル移動体通信（Global  System  of  Mobile  communication、GSM）システム、符号分割多元接続(Code  Division  Multiple  Access、CDMA)システム、広帯域符号分割多元接続(Wideband  Code  Division  Multiple  Access、WCDMA)システム、汎用パケット無線サービス(General  Packet  Radio  Service、GPRS)、ロングタームエボリューション(Long  Term  Evolution、LTE)システム、LTE周波数分割複信（Frequency  Division  Duplex、FDD）システム、LTE時分割複信（Time  Division  Duplex、TDD）、汎用移動体通信システム（Universal  Mobile  Telecommunication  System、UMTS）、マイクロ波利用アクセスに関する世界的な相互運用（Worldwide  Interoperability  for  Microwave  Access、WiMAX）通信システムや将来の5Gシステム等の様々な通信システムに適用可能である。
【００４４】
特に、本願の実施例の技術的手段は、例えば、スパースコード多元接続（Sparse  Code  Multiple  Access、SCMA）システム、低密度署名（Low  Density  Signature、LDS）システム等の様々な非直交多元接続技術に基づく通信システムに適用可能であり、もちろん、SCMAシステムとLDSシステムは通信分野で他の名称と呼ばれてもよい。更に、本願の実施例の技術的手段は、例えば、非直交多元接続技術を採用する直交周波数分割多重（Orthogonal  Frequency  Division  Multiplexing、OFDM）、フィルターバンクマルチキャリア（Filter  Bank  Multi-Carrier、FBMC）、汎用周波数分割多重（Generalized  Frequency  Division  Multiplexing、GFDM）、フィルタ直交周波数分割多重（Filtered-OFDM、F-OFDM）システム等の非直交多元接続技術を採用するマルチキャリア伝送システムに適用可能である。
【００４５】
本願の実施例における端末装置とは、ユーザ装置（User  Equipment、UE）、アクセス端末、ユーザユニット、ユーザ局、移動基地局、移動局、遠方局、遠隔端末、移動装置、ユーザ端末、端末、無線通信装置、ユーザエージェント又はユーザデバイスを指してもよい。アクセス端末は、セルラー電話、コードレス電話、セッション開始プロトコル(Session  Initiation  Protocol、SIP)電話、ワイヤレスローカルループ(Wireless  Local  Loop、WLL)局、パーソナルデジタルアシスタント（Personal  Digital  Assistant、PDA）、無線通信機能を備えるハンドヘルド装置、計算装置又は無線モデムに接続される他の処理装置、車載装置、ウェアラブルデバイス、将来の5Gネットワークにおける端末装置又は将来進化する公衆地上移動通信ネットワーク（Public  Land  Mobile  Network、PLMN）における端末装置等であってもよいが、本願の実施例は限定しない。
【００４６】
本願の実施例におけるネットワーク装置は端末装置と通信することに用いられる装置であってもよく、該ネットワーク装置はGSM又はCDMAにおける基地局（Base  Transceiver  Station、BTS）であってもよく、WCDMAシステムにおける基地局（NodeB、NB）であってもよく、更にLTEシステムにおける進化型基地局（Evolutional  NodeB、eNB又はeNodeB）であってもよく、またクラウド無線アクセスネットワーク（Cloud  Radio  Access  Network、CRAN）シーンでの無線コントローラであってもよく、或いは、該ネットワーク装置は中継局、アクセスポイント、車載装置、ウェアラブルデバイス及び将来の5Gネットワークにおけるネットワーク装置又は将来進化するPLMNネットワークにおけるネットワーク装置等であってもよいが、本願の実施例は限定しない。
【００４７】
図1は本願の実施例の応用シーンの模式図である。図1における通信システムは端末装置10とネットワーク装置20を備えても良い。ネットワーク装置20は、端末装置10に通信サービスを提供してコアネットワークにアクセスすることに用いられ、端末装置10はネットワーク装置20が送信した同期信号、ブロードキャスト信号等を検索することによりネットワークにアクセスして、ネットワークとの通信を行う。図1に示される矢印は、端末装置10とネットワーク装置20との間のセルラーリンクにより行うアップリンク/ダウンリンク伝送を表すことができる。
【００４８】
理解を容易にするために、まず端末装置とネットワーク装置との間の基本的な通信の流れを簡単に説明する。具体的に、端末装置は電源を入れた後、可能なセルのいくつかの中心周波数点でプライマリ同期信号(Primary  Synchronization  Signal、PSS)とセカンダリ同期信号(Secondary  Synchronization  Signal、SSS)を受信してフレーム同期を取得し、その後PBCHを読み取ることができる。PBCHからシステム帯域幅、物理ハイブリッドARQインジケータチャネル(Physical  Hybrid  ARQ  Indicator  Channel、PHICH)リソース、アンテナ数又はシステムフレーム番号等のシステム情報を取得することができる。端末装置はシステムメッセージから他の情報を含めて、駐在して該ネットワーク装置の提供する様々なサービスを使用することもできる。ネットワーク装置はある端末装置に送信しようとするダウンリンクデータを有する場合、ネットワーク装置はまず端末装置に1つの物理ダウンリンク制御チャネルを送信し、主な役割は端末装置が該ダウンリンクデータのために割り当てる物理ダウンリンクデータチャネル(Physical  Downlink  Shared  Channel、PDSCH)がリソースグリッドのどの位置に設定したかを知らせることであり、それからネットワーク装置は端末装置のために割り当てられた位置で端末装置にPDSCHを送信する。
【００４９】
図2は本願の実施例による無線通信の方法100の模式的なブロック図を示す。図2に示すように、該方法100は下記S110〜S120を含む。
【００５０】
S110、端末装置は第1の時間領域スケジューリングユニットにおいて、ネットワーク装置から送信された第1の物理ダウンリンク制御チャネルを受信し、該第1の物理ダウンリンク制御チャネルは該第1の時間領域スケジューリングユニットの前の少なくとも1つの時間領域スケジューリングユニットにおける物理ダウンリンクデータチャネルをスケジューリングするためのものである。
【００５１】
S120、該端末装置は該第1の物理ダウンリンク制御チャネルにより、該少なくとも1つの時間領域スケジューリングユニットにおける該第1の物理ダウンリンク制御チャネルに対応するデータを受信する。
【００５２】
なお、時間領域スケジューリングユニットはタイムスロット、マイクロタイムスロット又はサブフレームであってもよく、或いは、特定のシンボルを含む単位であってもよく、1つの時間領域スケジューリングユニットは時間領域において複数のシンボルを含み、周波数領域において複数のサブキャリアを含み、又はシステム帯域幅全体であってもよい。
【００５３】
具体的に、端末装置はある時間領域スケジューリングユニットにおいて、ネットワーク装置から送信されたPDCCHを受信し、通常、PDCCHはダウンリンク制御情報(Download  Control  Information、DCI)をベアリングするためのものであり、そして各端末装置は1つのPDCCHに対応する。主な役割は、端末装置の情報であるPDSCHがリソースグリッドのどの位置に設定したかを知らせることである。本願の実施例において、該PDCCHは該時間領域スケジューリングユニットの前のある1つ又は複数の時間領域スケジューリングユニットにおけるPDSCHをスケジューリングすることができる。つまり、ネットワーク装置はある時間領域スケジューリングユニットのPDCCHの後に、伝送しようとするダウンリンクデータを有する場合、端末装置は直接に該時間領域スケジューリングユニットの後にPDSCHを送信して、次の時間領域スケジューリングユニットが送信したPDCCHによりスケジューリングすることができる。このように、前の一つの時間領域スケジューリングユニットにおけるデータが、次の時間領域スケジューリングユニットにおけるデータとともに、次の時間領域スケジューリングユニットにおいてスケジューリングされるがリソースが不足である場合に、ネットワークは更に1つの時間領域スケジューリングユニットを割り当てて該データを伝送する必要があり、もしネットワーク装置は前の一つの時間領域スケジューリングユニットのリソースを十分に利用すれば、ネットワークが更に1つの時間領域スケジューリングユニットを割り当てる必要がなくなる可能性があり、それにより、ネットワークリソースの利用率を効率的に高め、より柔軟なスケジューリングを実現する。
【００５４】
理解できるように、以上は該時間領域スケジューリングユニットの前の1つの時間領域スケジューリングユニットを例に説明したが、本願の実施例はこれに限定されるものではなく、該時間領域スケジューリングユニットの前のいくつかの時間領域スケジューリングユニットであってもよい。
【００５５】
選択肢として、本願の実施例において、該第1の物理ダウンリンク制御チャネル上にベアリングされるダウンリンク制御情報は、該第1の物理ダウンリンク制御チャネルのスケジューリングする物理ダウンリンクデータチャネルが、該第1の時間領域スケジューリングユニットの前の少なくとも1つの時間領域スケジューリングユニットに位置することを指示するためのものであり、該方法は更に、該端末装置は該少なくとも1つのスケジューリングユニットにおける、該第1の物理ダウンリンク制御チャネルがスケジューリング可能な物理ダウンリンクデータチャネルによりベアリングされるデータをキャッシュすることを含み、該端末装置が該第1の物理ダウンリンク制御チャネルにより、該少なくとも1つの時間領域スケジューリングユニットにおける該第1の物理ダウンリンク制御チャネルに対応するデータを受信することは、該端末装置は該第1の物理ダウンリンク制御チャネルにより、該端末装置がキャッシュする該少なくとも1つのスケジューリングユニットにおける該第1の物理ダウンリンク制御チャネルがスケジューリング可能な物理ダウンリンクデータチャネルによりベアリングされるデータから、該第1の物理ダウンリンク制御チャネルに対応するデータを取得することを含む。
【００５６】
具体的に、端末装置は、プロトコルの規定に従って、各時間領域スケジューリングユニットにおいていずれもプロトコルによって規定されるリソース上の情報をキャッシュすることができ、端末装置は次の時間領域スケジューリングユニットにおいてスケジューリングを指示するPDSCHが前の一つの時間領域スケジューリングユニットのPDCCH内に位置することを受信すると、端末装置はキャッシュされたデータから該PDCCHに対応するデータを取得する。端末装置はネットワーク装置の半静的な設定により、次の時間領域スケジューリングユニットにおけるPDCCHがスケジューリング可能な前の一つの時間領域スケジューリングユニットにおけるPDSCHの位置を知らせることもできる。同様に、端末装置は前の一つの時間領域スケジューリングユニットにおけるPDSCH上のデータをキャッシュすることができ、端末装置は次の時間領域スケジューリングユニットにおいてスケジューリングを指示するPDSCHが前の一つの時間領域スケジューリングユニットのPDCCH内に位置することを受信すると、端末装置はキャッシュされたデータから該PDCCHに対応するデータを取得する。理解できるように、該半静的な設定は、無線リソース制御(Radio  Resource  Control、RRC)であってもよい。
【００５７】
選択肢として、本願の実施例において、該少なくとも1つの時間領域スケジューリングユニットは、該第1の時間領域スケジューリングユニットの前にあって、該第1の時間領域スケジューリングユニットに隣接する第2の時間領域スケジューリングユニットであり、該第2の時間領域スケジューリングユニットは第2の物理ダウンリンク制御チャネルを含み、該第2の時間領域スケジューリングユニットはN個のシンボルを含み、該第2の時間領域スケジューリングユニットにおける該第1の物理ダウンリンク制御チャネルがスケジューリング可能な物理ダウンリンクデータチャネルは、該第2の時間領域スケジューリングユニットのN-M+1〜N番目のシンボルを占有し、且つ該第2の物理ダウンリンク制御チャネルが占有するシンボルとオーバーラップしなく、N、Mはいずれも正の整数であり、且つM≦Nである。
【００５８】
該第2の時間領域スケジューリングユニットにおける該第1の物理ダウンリンク制御チャネルがスケジューリング可能な物理ダウンリンクデータチャネルは、該第2の時間領域スケジューリングユニットのN-M+1〜N番目のシンボルを占有し、且つ該第2の物理ダウンリンク制御チャネルが占有するシンボルとオーバーラップしなく、リソース衝突を起こさず、システム伝送性能を高める。
【００５９】
更に、該第1の時間領域スケジューリングユニットは第1の同期信号ブロックを含み、該第2の時間領域スケジューリングユニットは該第1の同期信号ブロックと異なる第2の同期信号ブロックを含み、該第2の同期信号ブロックは該第2の時間領域スケジューリングユニットの1〜P番目のシンボルを占有し、該第2の物理ダウンリンク制御チャネルは周波数領域において、該第2の同期信号ブロックの帯域幅の少なくとも一側に位置し、Pは正の整数であり、且つ
0006957636.tif 000008
である。
【００６０】
選択肢として、該第2の同期信号ブロックと該第2の物理ダウンリンク制御チャネルは時間領域において、部分的にオーバーラップしてもよく、完全にオーバーラップしてもよい。例えば、第2の同期信号ブロックは最初のP個のシンボルを占有し、第1の物理ダウンリンク制御チャネルは第1の同期信号ブロックの帯域幅の一側にあり、且つ第1のタイムスロット又は第1のマイクロタイムスロットの最初のP個のシンボルも占有し、最初のM個のシンボルを占有してもよく、
0006957636.tif 000009
である。
【００６１】
同期信号ブロックを時間領域スケジューリングユニットの冒頭の複数のシンボルに設定して伝送することで、端末はセルサーチを完了した直後に現在のタイムスロットのダウンリンク制御チャネルとシステム情報を読み取ることができ、端末がネットワークにアクセスする時間を短縮し、端末のネットワークへの加入中の消費電力を節約することができる。
【００６２】
更に、該第1の時間領域スケジューリングユニットは第1の同期信号ブロックを含み、該第1の時間領域スケジューリングユニットはQ個のシンボルを含み、該第1の同期信号ブロックは該第1の時間領域スケジューリングユニットのQ-R+1〜Q番目のシンボルを占有し、該第1の物理ダウンリンク制御チャネルは該第1の時間領域スケジューリングユニットの1〜S番目のシンボルを占有し、Q、R及びSはいずれも正の整数であり、且つ
0006957636.tif 000010
である。
【００６３】
選択肢として、第1の同期信号ブロックと第1の物理ダウンリンク制御チャネルは周波数領域において、オーバーラップしてもよく、オーバーラップしなくてもよい。具体的に、第1の同期信号ブロックを第1の時間領域スケジューリングユニットのシステム帯域幅の中央に設定して、第1の時間領域スケジューリングユニットの後の複数のシンボルを占有することができる。同様に、第1の物理ダウンリンク制御チャネルを第1の時間領域スケジューリングユニットの帯域幅の中央に設定して、第1の時間領域スケジューリングユニットの最初の複数のシンボルを占有することができる。
【００６４】
更に、該第1の物理ダウンリンク制御チャネルは更に、該第1の時間領域スケジューリングユニットにおける物理ダウンリンクデータチャネル及び/又は該第1の時間領域スケジューリングユニットの後の少なくとも1つの時間領域スケジューリングユニットにおける物理ダウンリンクデータチャネルをスケジューリングすることに用いられる。
【００６５】
以下、図3〜図6を参照して、4種類の実現可能な本願の実施例によるダウンリンク時間領域スケジューリングユニットの構造を詳細に説明する。
【００６６】
実施例1、図3に示すように、同期信号ブロックは、1つの同期信号ブロックよりも長いタイムスロット又はマイクロタイムスロットのヘッダにおいて伝送され、PDCCHは同期信号ブロックが位置するシンボルにおいて伝送され、同期信号ブロックの帯域幅の両側の周波数領域リソースを占有する。そのうち、PDCCHは同期信号ブロックの一側に位置してもよく、両側に位置してもよい。同期信号ブロックを含まないタイムスロット又はマイクロタイムスロットにおけるPDCCHは、位置するタイムスロット又はマイクロタイムスロットにおける冒頭のいくつかのシンボルを占有する。同期信号ブロックを含むタイムスロット又はマイクロタイムスロットにおけるPDCCH、及び同期信号ブロックを含まないタイムスロット又はマイクロタイムスロットにおけるPDCCHは、該タイムスロット又はマイクロタイムスロットにおけるPDSCHをスケジューリングしてもよく、該タイムスロット又は該マイクロタイムスロットの後のPDSCHをスケジューリングしてもよく、更に該タイムスロット又は該マイクロタイムスロットの前のPDSCHをスケジューリングしてもよい。各ビームの、同期信号ブロックを含むタイムスロット又はマイクロタイムスロットは連続的に伝送され、あるビームの、同期信号ブロックを含むタイムスロット又はマイクロタイムスロット、及び同期信号ブロックを含まないタイムスロット又はマイクロタイムスロットは非連続的に伝送される。
【００６７】
PDCCHは該タイムスロット又はマイクロタイムスロットの前の他のタイムスロット又はマイクロタイムスロットにおけるPDSCHをスケジューリングすることができ、該他のタイムスロット又はマイクロタイムスロットは、同期信号ブロックを含むタイムスロット又はマイクロタイムスロットであってもよく、同期信号ブロックを含まないタイムスロット又はマイクロタイムスロットであってもよい。
【００６８】
実施例2、図4に示すように、同期信号ブロックは、1つの同期信号ブロックよりも長いタイムスロット又はマイクロタイムスロットのヘッダにおいて伝送され、PDCCHは同期信号ブロックが位置するシンボルにおいて伝送され、同期信号ブロックの帯域幅の両側の周波数領域リソースを占有する。そのうち、PDCCHは同期信号ブロックの一側に位置してもよく、両側に位置してもよい。同期信号ブロックを含まないタイムスロット又はマイクロタイムスロットにおけるPDCCHは、位置する時間領域スケジューリングユニットにおける冒頭のいくつかのシンボルを占有する。同期信号ブロックを含むタイムスロット又はマイクロタイムスロットにおけるPDCCH、及び同期信号ブロックを含まないタイムスロット又はマイクロタイムスロットにおけるPDCCHは、該タイムスロット又はマイクロタイムスロットにおけるPDSCHをスケジューリングしてもよく、該タイムスロット又は該マイクロタイムスロットの後のPDSCHをスケジューリングしてもよく、更に該タイムスロット又は該マイクロタイムスロットの前のPDSCHをスケジューリングしてもよい。各ビームの、同期信号ブロックを含むタイムスロット又はマイクロタイムスロットは非連続的に伝送され、あるビームの、同期信号ブロックを含むタイムスロット又はマイクロタイムスロット、及び同期信号ブロックを含まないタイムスロット又はマイクロタイムスロットは連続的に伝送される。
【００６９】
実施例3、図5に示すように、同期信号ブロックは、1つの同期信号ブロックよりも長いタイムスロット又はマイクロタイムスロットの末尾において伝送され、PDCCHは該タイムスロット又はマイクロタイムスロットのヘッダにおいて伝送され、同期信号ブロックとPDCCHは異なるシンボルを占有する。この実施例において、まず各ビームの、同期信号ブロックを含むタイムスロット又はマイクロタイムスロットを連続的に伝送し、それから各ビームの、同期信号ブロックを含まないタイムスロット又はマイクロタイムスロットを伝送する。同期信号ブロックを含まないタイムスロット又はマイクロタイムスロットにおけるPDCCHは、該タイムスロット又はマイクロタイムスロットにおけるPDSCHをスケジューリングしてもよく、該タイムスロット又は該マイクロタイムスロットの後のPDSCHをスケジューリングしてもよく、更に該タイムスロット又は該マイクロタイムスロットの前のPDSCHをスケジューリングしてもよい。
【００７０】
実施例4、図6に示すように、同期信号ブロックは、1つの同期信号ブロックよりも長いタイムスロット又はマイクロタイムスロットの末尾において伝送され、PDCCHは該タイムスロット又はマイクロタイムスロットのヘッダにおいて伝送され、同期信号ブロックとPDCCHは異なるシンボルを占有する。実施例9との相違点は、各ビームの、同期信号ブロックを含むタイムスロット又はマイクロタイムスロットが非連続的に伝送され、あるビームの、同期信号ブロックを含むタイムスロット又はマイクロタイムスロット、及び同期信号ブロックを含まないタイムスロット又はマイクロタイムスロットが連続的に伝送されることである。同期信号ブロックを含むタイムスロット又はマイクロタイムスロットにおけるPDCCHは、該タイムスロット又はマイクロタイムスロットにおけるPDSCHをスケジューリングしてもよく、該タイムスロット又は該マイクロタイムスロットの後のPDSCHをスケジューリングしてもよく、更に該タイムスロット又は該マイクロタイムスロットの前のPDSCHをスケジューリングしてもよい。
【００７１】
上記実施例におけるPDCCHは、該タイムスロット又はマイクロタイムスロット及びその後のタイムスロット又はマイクロタイムスロットのリソースをスケジューリングすることができるだけでなく、前の1つのタイムスロット又はマイクロタイムスロットのリソースの一部をスケジューリングすることもできる。これにより、該ビームのPDSCH伝送リソースを拡張することができ、該ビームに新しいタイムスロット又はマイクロタイムスロットを割り当てる必要がない。リソーススケジューリングの柔軟性は更に向上する。
【００７２】
図7は本願の実施例による無線通信の方法200の模式的なブロック図を示す。図7に示すように、該方法200は下記S210〜S220を含む。
【００７３】
S210において、端末装置はネットワーク装置から送信された第1の指示情報及び第2の指示情報を受信し、該第1の指示情報は、第1の物理ダウンリンク制御チャネルの第1の時間領域スケジューリングユニットでの位置を指示するためのものであり、該第2の指示情報は、第2の物理ダウンリンク制御チャネルの該第2の時間領域スケジューリングユニットでの位置を指示するためのものであり、該第1の時間領域スケジューリングユニットは同期信号ブロックを含み、該第2の時間領域スケジューリングユニットは同期信号ブロックを含まなく、該同期信号ブロックは同期信号及び物理ブロードキャストチャネルを含む。
【００７４】
S220において、該端末装置は該第1の指示情報と該第2の指示情報に基づいて、該第1の物理ダウンリンク制御チャネルの該第1の時間領域スケジューリングユニットでの位置と、第2の物理ダウンリンク制御チャネルの該第2の時間領域スケジューリングユニットでの位置をそれぞれ確定する。
【００７５】
なお、時間領域スケジューリングユニットはタイムスロット、マイクロタイムスロット又はサブフレームであってもよく、或いは、特定のシンボルを含む単位であってもよく、1つの時間領域スケジューリングユニットは時間領域において複数のシンボルを含み、周波数領域において複数のサブキャリアを含み、又はシステム帯域幅全体であってもよい。
【００７６】
具体的に、同期信号ブロックを含む時間領域スケジューリングユニットにおいて、物理ダウンリンク制御チャネルを伝送するためにリソースの一部を同時に設定することができる。上記のように、LTEシステムにおいて、物理ダウンリンク制御チャネルは1つのサブフレームの最初のいくつかのシンボルにあるが、同期信号とPBCHはそれぞれ異なるタイムスロットにあり、そして周波数領域はシステム帯域幅の中央の72個のサブキャリアにある。一方、NRシステムにおいて、時間領域スケジューリングユニットは1つのサブフレームではなく、1つのタイムスロット又はマイクロタイムスロット等であってもよく、そしてシステムの帯域幅は大きくなり、もし依然としてLTEシステムにおける時間領域スケジューリングユニットの設定方式を採用すれば、同期信号を含む時間領域スケジューリングユニットにおける周波数領域上の他の位置は無駄になる。もし同期信号ブロックを伝送する時間領域スケジューリングユニットにおいて一部のリソースを設定してダウンリンク制御チャネルを伝送するが、同期信号ブロックを含まない時間領域スケジューリングユニットにおける物理ダウンリンク制御チャネルは元の構造を採用できれば、構造変更は小さく、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【００７７】
選択肢として、前記第1の指示情報及び/又は前記第2の指示情報は、物理ブロードキャストチャネル又はシステムメッセージにベアリングされる。更に、該第1の指示情報及び第2の指示情報は、第1の時間領域スケジューリングユニットにおけるブロードキャストチャネルにベアリングされてもよい。
【００７８】
選択肢として、本願の実施例において、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000011
であり、前記方法は更に、前記端末装置は前記第1の時間領域スケジューリングユニットにおいて前記同期信号ブロックと前記第1の物理ダウンリンク制御チャネルを受信完了した後、前記端末装置は前記第2の時間領域スケジューリングユニットにおいて前記第2の物理ダウンリンク制御チャネルを受信することを含む。
【００７９】
図8は本願の実施例による通信方法300の模式的なブロック図を示す。図8に示すように、該方法300は下記S310を含む。
【００８０】
S310において、ネットワーク装置は第1の時間領域スケジューリングユニットにおいて、端末装置に第1の物理ダウンリンク制御チャネルを送信し、前記第1の物理ダウンリンク制御チャネルは前記第1の時間領域スケジューリングユニットの前の少なくとも1つの時間領域スケジューリングユニットにおける物理ダウンリンクデータチャネルをスケジューリングするためのものである。
【００８１】
従って、本願の実施例による通信方法により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【００８２】
選択肢として、本願の実施例において、前記方法は更に、前記ネットワーク装置は前記端末装置に指示情報を送信し、前記指示情報は、前記第1の物理ダウンリンク制御チャネルがスケジューリング可能な物理ダウンリンクデータチャネルの、前記少なくとも1つの時間領域スケジューリングユニットでの位置を指示するためのものであることを含む。
【００８３】
選択肢として、本願の実施例において、前記指示情報は無線リソース制御RRCシグナリングにベアリングされる。
【００８４】
選択肢として、本願の実施例において、前記少なくとも1つの時間領域スケジューリングユニットは、前記第1の時間領域スケジューリングユニットの前にあって、前記第1の時間領域スケジューリングユニットに隣接する第2の時間領域スケジューリングユニットであり、前記第2の時間領域スケジューリングユニットは第2の物理ダウンリンク制御チャネルを含み、前記第2の時間領域スケジューリングユニットはN個のシンボルを含み、前記第2の時間領域スケジューリングユニットにおける前記第1の物理ダウンリンク制御チャネルがスケジューリング可能な物理ダウンリンクデータチャネルは、前記第2の時間領域スケジューリングユニットのN-M+1〜N番目のシンボルを占有し、且つ前記第2の物理ダウンリンク制御チャネルが占有するシンボルとオーバーラップしなく、N、Mはいずれも正の整数であり、且つM≦Nである。
【００８５】
選択肢として、本願の実施例において、前記第1の時間領域スケジューリングユニットは第1の同期信号ブロックを含み、前記第2の時間領域スケジューリングユニットは前記第1の同期信号ブロックと異なる第2の同期信号ブロックを含み、前記第2の同期信号ブロックは前記第2の時間領域スケジューリングユニットの1〜P番目のシンボルを占有し、前記第2の物理ダウンリンク制御チャネルは周波数領域において、前記第2の同期信号ブロックの帯域幅の少なくとも一側に位置し、Pは正の整数であり、且つ
0006957636.tif 000012
である。
【００８６】
選択肢として、本願の実施例において、前記第1の時間領域スケジューリングユニットは第1の同期信号ブロックを含み、前記第1の時間領域スケジューリングユニットはQ個のシンボルを含み、前記第1の同期信号ブロックは前記第1の時間領域スケジューリングユニットのQ-R+1〜Q番目のシンボルを占有し、前記第1の物理ダウンリンク制御チャネルは前記第1の時間領域スケジューリングユニットの1〜S番目のシンボルを占有し、Q、R及びSはいずれも正の整数であり、且つ
0006957636.tif 000013
である。
【００８７】
選択肢として、本願の実施例において、前記第1の時間領域スケジューリングユニットは、タイムスロット又はマイクロタイムスロットである。
【００８８】
選択肢として、本願の実施例において、前記第1の物理ダウンリンク制御チャネルは更に、前記第1の時間領域スケジューリングユニットにおける物理ダウンリンクデータチャネル及び/又は前記第1の時間領域スケジューリングユニットの後の少なくとも1つの時間領域スケジューリングユニットにおける物理ダウンリンクデータチャネルをスケジューリングすることに用いられる。
【００８９】
図9は本願の実施例による通信方法400の模式的なブロック図を示す。図9に示すように、該方法400は下記S410を含む。
【００９０】
S410において、ネットワーク装置は端末装置に第1の指示情報及び第2の指示情報を送信し、前記第1の指示情報は、第1の物理ダウンリンク制御チャネルの第1の時間領域スケジューリングユニットでの位置を指示するためのものであり、前記第2の指示情報は、第2の物理ダウンリンク制御チャネルの前記第2の時間領域スケジューリングユニットでの位置を指示するためのものであり、前記第1の時間領域スケジューリングユニットは同期信号ブロックを含み、前記第2の時間領域スケジューリングユニットは同期信号ブロックを含まない。
【００９１】
従って、本願の実施例による通信方法により、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【００９２】
選択肢として、本願の実施例において、前記第1の指示情報及び/又は前記第2の指示情報は、物理ブロードキャストチャネル又はシステムメッセージにベアリングされる。
【００９３】
選択肢として、本願の実施例において、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000014
であり、前記方法は更に、前記ネットワーク装置は前記第1の時間領域スケジューリングユニットにおいて前記同期信号ブロックと前記第1の物理ダウンリンク制御チャネルを送信完了した後、前記ネットワーク装置は前記第2の時間領域スケジューリングユニットにおいて前記第2の物理ダウンリンク制御チャネルを送信することを含む。
【００９４】
選択肢として、本願の実施例において、前記第1の時間領域スケジューリングユニット及び/又は前記第2の時間領域スケジューリングユニットは、タイムスロット又はマイクロタイムスロットである。
【００９５】
理解できるように、ネットワーク装置が記述するネットワーク装置と端末装置とのインタラクション及び関連特性、機能等は、端末装置の関連特性、機能に対応する。つまり、端末装置がネットワーク装置にある種類の情報を送信する場合、それに応じてネットワーク装置はそれを受信する。簡明のために、ここでは繰り返して説明しない。
【００９６】
理解できるように、本願の様々な実施例において、上記各過程の番号の大きさは実行順序の前後を意味するものではなく、各過程の実行順序はその機能と内的論理によって決定されるべきであり、本願の実施例の実施過程に対する何ら限定ではない。
【００９７】
図10は本願の実施例による端末装置500の模式的なブロック図を示す。図10に示すように、該端末装置500は、
第1の時間領域スケジューリングユニットにおいて、ネットワーク装置から送信された第1の物理ダウンリンク制御チャネルを受信することに用いられ、前記第1の物理ダウンリンク制御チャネルは前記第1の時間領域スケジューリングユニットの前の少なくとも1つの時間領域スケジューリングユニットにおける物理ダウンリンクデータチャネルをスケジューリングするためのものである、第1の受信ユニット510と、
前記第1の物理ダウンリンク制御チャネルにより、前記少なくとも1つの時間領域スケジューリングユニットにおける前記第1の物理ダウンリンク制御チャネルに対応するデータを受信することに用いられる第2の受信ユニット520と、を備える。
【００９８】
選択肢として、本願の実施例において、前記第1の物理ダウンリンク制御チャネル上にベアリングされるダウンリンク制御情報は、前記第1の物理ダウンリンク制御チャネルのスケジューリングする物理ダウンリンクデータチャネルが、前記第1の時間領域スケジューリングユニットの前の少なくとも1つの時間領域スケジューリングユニットに位置することを指示するためのものであり、前記端末装置500は、前記少なくとも1つのスケジューリングユニットにおける、前記第1の物理ダウンリンク制御チャネルがスケジューリング可能な物理ダウンリンクデータチャネルによりベアリングされるデータをキャッシュするためのキャッシュユニット530を更に備え、前記第2の受信ユニット520は具体的に、前記第1の物理ダウンリンク制御チャネルにより、前記端末装置がキャッシュする前記少なくとも1つのスケジューリングユニットにおける前記第1の物理ダウンリンク制御チャネルがスケジューリング可能な物理ダウンリンクデータチャネルによりベアリングされるデータから、前記第1の物理ダウンリンク制御チャネルに対応するデータを受信することに用いられる。
【００９９】
選択肢として、本願の実施例において、前記端末装置500は、ネットワーク装置が送信した指示情報を受信することに用いられ、前記指示情報は、前記第1の物理ダウンリンク制御チャネルがスケジューリング可能な物理ダウンリンクデータチャネルの、前記少なくとも1つの時間領域スケジューリングユニットでの位置を指示するためのものである第3の受信ユニット540を更に備え、前記キャッシュユニット530は具体的に、前記指示情報に基づいて、前記少なくとも1つの時間領域スケジューリングユニットにおける、前記第1の物理ダウンリンク制御チャネルがスケジューリング可能な物理ダウンリンクデータチャネルによりベアリングされるデータをキャッシュすることに用いられる。
【０１００】
選択肢として、本願の実施例において、前記指示情報は無線リソース制御RRCシグナリングにベアリングされる。
【０１０１】
選択肢として、本願の実施例において、前記少なくとも1つの時間領域スケジューリングユニットは、前記第1の時間領域スケジューリングユニットの前にあって、前記第1の時間領域スケジューリングユニットに隣接する第2の時間領域スケジューリングユニットであり、前記第2の時間領域スケジューリングユニットは第2の物理ダウンリンク制御チャネルを含み、前記第2の時間領域スケジューリングユニットはN個のシンボルを含み、前記第2の時間領域スケジューリングユニットにおける前記第1の物理ダウンリンク制御チャネルがスケジューリング可能な物理ダウンリンクデータチャネルは、前記第2の時間領域スケジューリングユニットのN-M+1〜N番目のシンボルを占有し、且つ前記第2の物理ダウンリンク制御チャネルが占有するシンボルとオーバーラップしなく、N、Mはいずれも正の整数であり、且つM≦Nである。
【０１０２】
選択肢として、本願の実施例において、前記第1の時間領域スケジューリングユニットは第1の同期信号ブロックを含み、前記第2の時間領域スケジューリングユニットは前記第1の同期信号ブロックと異なる第2の同期信号ブロックを含み、前記第2の同期信号ブロックは前記第2の時間領域スケジューリングユニットの1〜P番目のシンボルを占有し、前記第2の物理ダウンリンク制御チャネルは周波数領域において、前記第2の同期信号ブロックの帯域幅の少なくとも一側に位置し、Pは正の整数であり、且つ
0006957636.tif 000015
である。
【０１０３】
選択肢として、本願の実施例において、前記第1の時間領域スケジューリングユニットは第1の同期信号ブロックを含み、前記第1の時間領域スケジューリングユニットはQ個のシンボルを含み、前記第1の同期信号ブロックは前記第1の時間領域スケジューリングユニットのQ-R+1〜Q番目のシンボルを占有し、前記第1の物理ダウンリンク制御チャネルは前記第1の時間領域スケジューリングユニットの1〜S番目のシンボルを占有し、Q、R及びSはいずれも正の整数であり、且つ
0006957636.tif 000016
である。
【０１０４】
選択肢として、本願の実施例において、前記第1の時間領域スケジューリングユニットは、タイムスロット又はマイクロタイムスロットである。
【０１０５】
選択肢として、本願の実施例において、前記第1の物理ダウンリンク制御チャネルは更に、前記第1の時間領域スケジューリングユニットにおける物理ダウンリンクデータチャネル及び/又は前記第1の時間領域スケジューリングユニットの後の少なくとも1つの時間領域スケジューリングユニットにおける物理ダウンリンクデータチャネルをスケジューリングすることに用いられる。
【０１０６】
従って、本願の実施例による端末装置により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０１０７】
理解できるように、本願の実施例による端末装置500は、本願の方法100の実施例による端末装置に対応することができ、そして端末装置500における各ユニットの上記と他の操作及び/又は機能は、それぞれ図2の方法における端末装置の対応するフローを実現するためのものであり、簡明のために、ここでは繰り返して説明しない。
【０１０８】
図11は本願の実施例によるネットワーク装置600の模式的なブロック図を示す。図11に示すように、該ネットワーク装置600は、
第1の時間領域スケジューリングユニットにおいて、端末装置に第1の物理ダウンリンク制御チャネルを送信することに用いられ、前記第1の物理ダウンリンク制御チャネルは前記第1の時間領域スケジューリングユニットの前の少なくとも1つの時間領域スケジューリングユニットにおける物理ダウンリンクデータチャネルをスケジューリングするためのものである、第1の送信ユニット610を備える。
【０１０９】
従って、本願の実施例によるネットワーク装置により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０１１０】
選択肢として、本願の実施例において、前記ネットワーク装置600は更に、前記端末装置に指示情報を送信することに用いられ、前記指示情報は、前記第1の物理ダウンリンク制御チャネルがスケジューリング可能な物理ダウンリンクデータチャネルの、前記少なくとも1つの時間領域スケジューリングユニットでの位置を指示するためのものである、第2の送信ユニット620を備える。
【０１１１】
選択肢として、本願の実施例において、前記指示情報は無線リソース制御RRCシグナリングにベアリングされる。
【０１１２】
選択肢として、本願の実施例において、前記少なくとも1つの時間領域スケジューリングユニットは、前記第1の時間領域スケジューリングユニットの前にあって、前記第1の時間領域スケジューリングユニットに隣接する第2の時間領域スケジューリングユニットであり、前記第2の時間領域スケジューリングユニットは第2の物理ダウンリンク制御チャネルを含み、前記第2の時間領域スケジューリングユニットはN個のシンボルを含み、 前記第2の時間領域スケジューリングユニットにおける前記第1の物理ダウンリンク制御チャネルがスケジューリング可能な物理ダウンリンクデータチャネルは、前記第2の時間領域スケジューリングユニットのN-M+1〜N番目のシンボルを占有し、且つ前記第2の物理ダウンリンク制御チャネルが占有するシンボルとオーバーラップしなく、N、Mはいずれも正の整数であり、且つM≦Nである。
【０１１３】
選択肢として、本願の実施例において、前記第1の時間領域スケジューリングユニットは第1の同期信号ブロックを含み、前記第2の時間領域スケジューリングユニットは前記第1の同期信号ブロックと異なる第2の同期信号ブロックを含み、前記第2の同期信号ブロックは前記第2の時間領域スケジューリングユニットの1〜P番目のシンボルを占有し、前記第2の物理ダウンリンク制御チャネルは周波数領域において、前記第2の同期信号ブロックの帯域幅の少なくとも一側に位置し、Pは正の整数であり、且つ
0006957636.tif 000017
である。
【０１１４】
選択肢として、本願の実施例において、前記第1の時間領域スケジューリングユニットは第1の同期信号ブロックを含み、前記第1の時間領域スケジューリングユニットはQ個のシンボルを含み、前記第1の同期信号ブロックは前記第1の時間領域スケジューリングユニットのQ-R+1〜Q番目のシンボルを占有し、前記第1の物理ダウンリンク制御チャネルは前記第1の時間領域スケジューリングユニットの1〜S番目のシンボルを占有し、Q、R及びSはいずれも正の整数であり、且つ
0006957636.tif 000018
である。
【０１１５】
選択肢として、本願の実施例において、前記第1の時間領域スケジューリングユニットは、タイムスロット又はマイクロタイムスロットである。
【０１１６】
選択肢として、本願の実施例において、前記第1の物理ダウンリンク制御チャネルは更に、前記第1の時間領域スケジューリングユニットにおける物理ダウンリンクデータチャネル及び/又は前記第1の時間領域スケジューリングユニットの後の少なくとも1つの時間領域スケジューリングユニットにおける物理ダウンリンクデータチャネルをスケジューリングすることに用いられる。
【０１１７】
従って、本願の実施例によるネットワーク装置により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０１１８】
理解できるように、本願の実施例によるネットワーク装置600は、本願の方法300の実施例によるネットワーク装置に対応することができ、そしてネットワーク装置600における各ユニットの上記と他の操作及び/又は機能は、それぞれ図8の方法におけるネットワーク装置の対応するフローを実現するためのものであり、簡明のために、ここでは繰り返して説明しない。
【０１１９】
図12は本願の実施例による端末装置700の模式的なブロック図を示す。図12に示すように、該端末装置700は、
ネットワーク装置から送信された第1の指示情報及び第2の指示情報を受信することに用いられ、前記第1の指示情報は、第1の物理ダウンリンク制御チャネルの第1の時間領域スケジューリングユニットでの位置を指示するためのものであり、前記第2の指示情報は、第2の物理ダウンリンク制御チャネルの前記第2の時間領域スケジューリングユニットでの位置を指示するためのものであり、前記第1の時間領域スケジューリングユニットは同期信号ブロックを含み、前記第2の時間領域スケジューリングユニットは同期信号ブロックを含まなく、前記同期信号ブロックは同期信号及び物理ブロードキャストチャネルを含む、第1の受信ユニット710と、
前記第1の指示情報と前記第2の指示情報に基づいて、前記第1の物理ダウンリンク制御チャネルの前記第1の時間領域スケジューリングユニットでの位置と、第2の物理ダウンリンク制御チャネルの前記第2の時間領域スケジューリングユニットでの位置をそれぞれ確定することに用いられる確定ユニット720と、を備える。
【０１２０】
選択肢として、本願の実施例において、前記第1の指示情報及び/又は前記第2の指示情報は、物理ブロードキャストチャネル又はシステムメッセージにベアリングされる。
【０１２１】
選択肢として、本願の実施例において、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000019
であり、前記端末装置700は更に、前記第1の時間領域スケジューリングユニットにおいて前記同期信号ブロックと前記第1の物理ダウンリンク制御チャネルを受信完了した後、前記第2の時間領域スケジューリングユニットにおいて前記第2の物理ダウンリンク制御チャネルを受信することに用いられる第2の受信ユニット730を備える。
【０１２２】
選択肢として、本願の実施例において、前記第1の時間領域スケジューリングユニット及び/又は前記第2の時間領域スケジューリングユニットは、タイムスロット又はマイクロタイムスロットである。
【０１２３】
従って、本願の実施例による端末装置により、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【０１２４】
理解できるように、本願の実施例による端末装置700は、本願の方法200の実施例による端末装置に対応することができ、そして端末装置700における各ユニットの上記と他の操作及び/又は機能は、それぞれ図7の方法における端末装置の対応するフローを実現するためのものであり、簡明のために、ここでは繰り返して説明しない。
【０１２５】
図13は本願の実施例によるネットワーク装置800の模式的なブロック図を示す。図13に示すように、該ネットワーク装置800は、
端末装置に第1の指示情報及び第2の指示情報を送信することに用いられ、前記第1の指示情報は、第1の物理ダウンリンク制御チャネルの第1の時間領域スケジューリングユニットでの位置を指示するためのものであり、前記第2の指示情報は、第2の物理ダウンリンク制御チャネルの前記第2の時間領域スケジューリングユニットでの位置を指示するためのものであり、前記第1の時間領域スケジューリングユニットは同期信号ブロックを含み、前記第2の時間領域スケジューリングユニットは同期信号ブロックを含まない、第1の送信ユニット810を備える。
【０１２６】
選択肢として、本願の実施例において、前記第1の指示情報及び/又は前記第2の指示情報は、物理ブロードキャストチャネル又はシステムメッセージにベアリングされる。
【０１２７】
選択肢として、本願の実施例において、前記第1の時間領域スケジューリングユニットはN個のシンボルを含み、前記同期信号ブロックは前記第1の時間領域スケジューリングユニットにおける1〜M番目のシンボルを占有し、N、Mはいずれも正の整数であり、且つ
0006957636.tif 000020
であり、前記ネットワーク装置800は更に、前記第1の時間領域スケジューリングユニットにおいて前記同期信号ブロックと前記第1の物理ダウンリンク制御チャネルを送信完了した後、前記第2の時間領域スケジューリングユニットにおいて前記第2の物理ダウンリンク制御チャネルを送信することに用いられる第2の送信ユニット820を備える。
【０１２８】
選択肢として、本願の実施例において、前記第1の時間領域スケジューリングユニット及び/又は前記第2の時間領域スケジューリングユニットは、タイムスロット又はマイクロタイムスロットである。
【０１２９】
従って、本願の実施例によるネットワーク装置により、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【０１３０】
理解できるように、本願の実施例によるネットワーク装置800は、本願の方法400の実施例によるネットワーク装置に対応することができ、そしてネットワーク装置800における各ユニットの上記と他の操作及び/又は機能は、それぞれ図9の方法におけるネットワーク装置の対応するフローを実現するためのものであり、簡明のために、ここでは繰り返して説明しない。
【０１３１】
図14に示すように、本願の実施例は端末装置900を更に提供し、該端末装置900は図10における端末装置500であってもよく、図2における方法100に対応する端末装置のコンテンツを実行することに用いられる。該端末装置900は、入力インターフェース910、出力インターフェース920、プロセッサ930、及びメモリ940を備え、該入力インターフェース910、出力インターフェース920、プロセッサ930、及びメモリ940はバスシステムを介して接続されてもよい。前記メモリ940は、プログラム、指令又はコードを記憶することに用いられる。前記プロセッサ930は前記メモリ940におけるプログラム、指令又はコードを実行することに用いられ、それにより入力インタフェース910の信号受信を制御し、出力インタフェース920の信号送信を制御し、前記方法の実施例における操作を完成する。
【０１３２】
従って、本願の実施例による端末装置により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０１３３】
理解できるように、本願の実施例において、該プロセッサ930は中央処理装置（Central  Processing  Unit，CPU）であってもよく、該プロセッサ930は他の汎用プロセッサ、デジタル信号プロセッサ、専用集積回路、フィールドプログラマブルゲートアレイ又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、該プロセッサは任意の通常のプロセッサ等であってもよい。
【０１３４】
該メモリ940は、読み出し専用メモリ及びランダムアクセスメモリを含んでもよく、プロセッサ930に指令及びデータを提供する。メモリ940の一部は、不揮発性ランダムアクセスメモリを更に含んでもよい。例えば、メモリ940は、装置タイプの情報を更に記憶してもよい。
【０１３５】
実現過程において、上記方法の各内容は、プロセッサ930内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリ940にあり、プロセッサ930はメモリ940内の情報を読み取り、そのハードウェアと共に上記方法の内容を完成する。重複を避けるために、ここでは詳しく説明しない。
【０１３６】
1つの具体的な実施形態において、端末装置500におけるキャッシュユニット530は図14におけるプロセッサ930によって実現されてもよく、端末装置500における第1の受信ユニット510、第2の受信ユニット520及び第3の受信ユニット540は図14における入力インタフェース910によって実現されてもよい。
【０１３７】
図15に示すように、本願の実施例はネットワーク装置1000を更に提供し、該ネットワーク装置1000は図11におけるネットワーク装置600であってもよく、図8における方法300に対応するネットワーク装置のコンテンツを実行することに用いられる。該ネットワーク装置1000は、入力インタフェース1010、出力インタフェース1020、プロセッサ1030及びメモリ1040を備え、該入力インタフェース1010、出力インタフェース1020、プロセッサ1030及びメモリ1040はバスシステムを介して接続されてもよい。前記メモリ1040は、プログラム、指令又はコードを記憶することに用いられる。前記プロセッサ1030は前記メモリ1040におけるプログラム、指令又はコードを実行することに用いられ、それにより入力インタフェース1010の信号受信を制御し、出力インタフェース1020の信号送信を制御し、前記方法の実施例における操作を完成する。
【０１３８】
従って、本願の実施例によるネットワーク装置により、PDCCHは、該時間領域スケジューリングユニット及びその後の時間領域スケジューリングユニットのリソースをスケジューリングすることができるだけでなく、前の1つの時間領域スケジューリングユニットのリソースの一部をスケジューリングすることもできる。これにより、該ビームのPDSCH伝送リソースを拡張することができ、該ビームに新しい時間領域スケジューリングユニットを割り当てる必要がない。リソーススケジューリングの柔軟性は更に向上する。
【０１３９】
理解できるように、本願の実施例において、該プロセッサ1030は中央処理装置（Central  Processing  Unit，CPU）であってもよく、該プロセッサ1030は他の汎用プロセッサ、デジタル信号プロセッサ、専用集積回路、フィールドプログラマブルゲートアレイ又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、該プロセッサは任意の通常のプロセッサ等であってもよい。
【０１４０】
該メモリ1040は、読み出し専用メモリ及びランダムアクセスメモリを含んでもよく、プロセッサ1030に指令及びデータを提供する。メモリ1040の一部は、不揮発性ランダムアクセスメモリを更に含んでもよい。例えば、メモリ1040は、装置タイプの情報を更に記憶してもよい。
【０１４１】
実現過程において、上記方法の各内容は、プロセッサ1030内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリ1040にあり、プロセッサ1030はメモリ1040内の情報を読み取り、そのハードウェアと共に上記方法の内容を完成する。重複を避けるために、ここでは詳しく説明しない。
【０１４２】
1つの具体的な実施形態において、ネットワーク装置600における第1の送信ユニット610、第2の送信ユニット620は図15における出力インタフェース1020によって実現されてもよい。
【０１４３】
図16に示すように、本願の実施例は端末装置1100を更に提供し、該端末装置1100は図12における端末装置700であってもよく、図7における方法200に対応する端末装置のコンテンツを実行することに用いられる。該端末装置1100は、入力インターフェース1110、出力インターフェース1120、プロセッサ1130、及びメモリ1140を備え、該入力インターフェース1110、出力インターフェース1120、プロセッサ1130、及びメモリ1140はバスシステムを介して接続されてもよい。前記メモリ1140は、プログラム、指令又はコードを記憶することに用いられる。前記プロセッサ1130は前記メモリ1140におけるプログラム、指令又はコードを実行することに用いられ、それにより入力インタフェース1110の信号受信を制御し、出力インタフェース1120の信号送信を制御し、前記方法の実施例における操作を完成する。
【０１４４】
従って、本願の実施例による端末装置により、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【０１４５】
理解できるように、本願の実施例において、該プロセッサ1130は中央処理装置（Central  Processing  Unit，CPU）であってもよく、該プロセッサ1130は他の汎用プロセッサ、デジタル信号プロセッサ、専用集積回路、フィールドプログラマブルゲートアレイ又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、該プロセッサは任意の通常のプロセッサ等であってもよい。
【０１４６】
該メモリ1140は、読み出し専用メモリ及びランダムアクセスメモリを含んでもよく、プロセッサ1130に指令及びデータを提供する。メモリ1140の一部は、不揮発性ランダムアクセスメモリを更に含んでもよい。例えば、メモリ1140は、装置タイプの情報を更に記憶してもよい。
【０１４７】
実現過程において、上記方法の各内容は、プロセッサ1130内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリ1140にあり、プロセッサ1130はメモリ1140内の情報を読み取り、そのハードウェアと共に上記方法の内容を完成する。重複を避けるために、ここでは詳しく説明しない。
【０１４８】
1つの具体的な実施形態において、端末装置700における確定ユニット720は図16におけるプロセッサ1130によって実現されてもよく、端末装置700における第1の受信ユニット710及び第2の受信ユニット730は図16における入力インタフェース1110によって実現されてもよい。
【０１４９】
図17に示すように、本願の実施例はネットワーク装置1200を更に提供し、該ネットワーク装置1200は図13におけるネットワーク装置800であってもよく、図9における方法400に対応するネットワーク装置のコンテンツを実行することに用いられる。該ネットワーク装置1200は、入力インタフェース1210、出力インタフェース1220、プロセッサ1230及びメモリ1240を備え、該入力インタフェース1210、出力インタフェース1220、プロセッサ1230及びメモリ1240はバスシステムを介して接続されてもよい。前記メモリ1240は、プログラム、指令又はコードを記憶することに用いられる。前記プロセッサ1230は前記メモリ1240におけるプログラム、指令又はコードを実行することに用いられ、それにより入力インタフェース1210の信号受信を制御し、出力インタフェース1220の信号送信を制御し、前記方法の実施例における操作を完成する。
【０１５０】
従って、本願の実施例によるネットワーク装置により、NR高周波数帯域のカバレッジ要求を満たすと同時にリソース利用率を高め、各ビームの伝送時間を短縮し、伝送遅延を低減し、より多くのビーム数を収容して、通信システムの容量とカバレッジを高めることができる。
【０１５１】
理解できるように、本願の実施例において、該プロセッサ1230は中央処理装置（Central  Processing  Unit，CPU）であってもよく、該プロセッサ1230は他の汎用プロセッサ、デジタル信号プロセッサ、専用集積回路、フィールドプログラマブルゲートアレイ又は他のプログラマブル論理デバイス、ディスクリートゲート又はトランジスタ論理デバイス、ディスクリートハードウェアモジュール等であってもよい。汎用プロセッサはマイクロプロセッサであってもよく、或いは、該プロセッサは任意の通常のプロセッサ等であってもよい。
【０１５２】
該メモリ1240は、読み出し専用メモリ及びランダムアクセスメモリを含んでもよく、プロセッサ1230に指令及びデータを提供する。メモリ1240の一部は、不揮発性ランダムアクセスメモリを更に含んでもよい。例えば、メモリ1240は、装置タイプの情報を更に記憶してもよい。
【０１５３】
実現過程において、上記方法の各内容は、プロセッサ1230内のハードウェアの集積論理回路又はソフトウェア形態の指令によって達成できる。本願の実施例を組合わせて開示された方法の内容は、直接にハードウェアプロセッサで実行され、或いは、プロセッサにおけるハードウェア及びソフトウェアのモジュールの組合せで実行される。ソフトウェアモジュールはランダムアクセスメモリ、フラッシュメモリ、読み出し専用メモリ、プログラマブル読み出し専用メモリ、又は電気的に書き換え可能なプログラマブルメモリ、レジスタ等の本分野で成熟した記憶媒体に位置してもよい。該記憶媒体はメモリ1240にあり、プロセッサ1230はメモリ1240内の情報を読み取り、そのハードウェアと共に上記方法の内容を完成する。重複を避けるために、ここでは詳しく説明しない。
【０１５４】
1つの具体的な実施形態において、ネットワーク装置800における第1の送信ユニット810、第2の送信ユニット820は図17における出力インタフェース1220によって実現されてもよい。
【０１５５】
当業者が認識できるように、本明細書で開示する実施例に説明した様々な例示のユニット及びアルゴリズムステップは、電子ハードウェア、又はコンピュータソフトウェアと電子ハードウェアとの組合せで実現できる。これらの機能がハードウェアで実行されるかそれともソフトウェアで実行されるかは、技術的手段の特定の適用と設計制約条件によって決められる。専門技術者は、各特定の適用に対して異なる方法を使用して、記述された機能を実現することができるが、そのような実現は本願の範囲を超えるとは考えられない。
【０１５６】
当業者が明らかに理解できるように、説明の便宜と簡明のために、上記説明したシステム、装置及びユニットの具体的な動作過程については、前述した方法の実施例における対応の過程を参照でき、ここでは繰り返して説明しない。
【０１５７】
本願によるいくつかの実施例において、理解できるように、開示されるシステム、装置及び方法は、他の方式で実現されてもよい。例えば、上記装置の実施例は概略的なものに過ぎなく、例えば、該ユニットの区分はただ論理機能の区分であり、実際に実現する時に他の区分方式があってもよく、例えば、複数のユニット又はモジュールは組合せってもよく、又は他のシステムに集積されてもよく、又は幾つかの特徴は無視され、又は実行されなくてもよい。また、表示又は説明した相互間のカップリング又は直接カップリング又は通信接続は、いくつかのインターフェース、装置又はユニットを介した間接カップリング又は通信接続であってもよく、電気的、機械的、又は他の形式であってもよい。
【０１５８】
該分離部品として説明したユニットは物理的に分離したものであってもよくでなくてもよく、ユニットとして表示した部品は物理ユニットであってもよくでなくてもよく、1つの場所に位置してもよく、複数のネットワークユニットに分布してもよい。実際の需要に応じて、その一部又は全部のユニットを選択して本実施例の手段の目的を実現してもよい。
【０１５９】
また、本願の各実施例における各機能ユニットは、1つの処理ユニットに集積されたものであってもよく、各ユニットがそれぞれ物理的に存在するものであってもよく、2つ以上のユニットが1つのユニットに集積されたものであってもよい。
【０１６０】
該機能はソフトウェア機能ユニットの形式で実現され且つ独立の製品として販売され又は使用される場合、コンピュータ読み取り可能な記憶媒体に記憶されてもよい。このような理解に基づいて、本願の技術的手段の本質又は従来技術に対する貢献の部分又は該技術的手段の部分はソフトウェア製品の形式で体現してもよく、該コンピュータソフトウェア製品は1つの記憶媒体に記憶され、1つのコンピュータ装置（パソコン、サーバ、又はネットワーク装置等であってもよい）が本願の各実施例による方法の全部又は一部のステップを実行するための若干の指令を含む。前記記憶媒体は、Uディスク、移動ハードディスク、読み出し専用メモリ（Read-Only  Memory、ROM）、ランダムアクセスメモリ（Random  Access  Memory、RAM）、ディスク又は光ディスク等の各種のプログラムコードを記憶可能な媒体を含む。
【０１６１】
上記のものは本願の具体的な実施形態に過ぎなく、本願の保護範囲はこれに限定されるものではなく、いかなる当業者が本願の開示した技術範囲内において容易に想到し得る変化又は置き換えは、いずれも本願の保護範囲内に含まれるべきである。従って、本願の保護範囲は請求項の保護範囲を基準とするべきである。
【図１】
0006957636.tif 000021
【図２】
0006957636.tif 000022
【図３】
0006957636.tif 000023
【図４】
0006957636.tif 000024
【図５】
0006957636.tif 000025
【図６】
0006957636.tif 000026
【図７】
0006957636.tif 000027
【図８】
0006957636.tif 000028
【図９】
0006957636.tif 000029
【図１０】
0006957636.tif 000030
【図１１】
0006957636.tif 000031
【図１２】
0006957636.tif 000032
【図１３】
0006957636.tif 000033
【図１４】
0006957636.tif 000034
【図１５】
0006957636.tif 000035
【図１６】
0006957636.tif 000036
【図１７】
0006957636.tif 000037